(57)【要約】【課題】ガラス扉の前側から磁石を用いて遊技球を特定領域に不正に誘導する等のゴト行為を防止できる弾球遊技機を提供する。【解決手段】停留可能状態と停留解除状態とに切り替え可能に構成され且つ停留可能状態から停留解除状態に切り替える停留解除動作を開閉式入賞口３５の閉鎖後の所定のタイミングで行う停留手段３７と、停留解除後の遊技球を特定領域と通常領域とに振り分ける振り分け可動手段４０と、遊技球が特定領域側に振り分けられることを条件に利益状態を発生させる利益状態発生手段とを備えた弾球遊技機で、始動条件の一回の成立に対して停留解除動作が少なくとも二回行われ、その一回目の停留解除動作で流下した遊技球の振り分け時点では特定領域が有効であり、二回目以降の停留解除動作で流下した遊技球の振り分け時点では特定領域が無効となるように特定領域の有効期間が設定されているものである。【選択図】図１０
2010136751.tif 000002
【特許請求の範囲】
【請求項１】
所定の始動条件成立に対して所定期間開放される開閉式入球口（３５）と、該開閉式入球口（３５）に入球した遊技球を所定の停留位置で停留させることが可能な停留可能状態とその停留が解除される停留解除状態とに切り替え可能に構成され且つ前記停留可能状態から前記停留解除状態に切り替える停留解除動作を前記開閉式入球口（３５）の閉鎖後の所定のタイミングで行う停留手段（３７）と、前記停留解除動作によって流下してきた遊技球を特定領域（３８）とそれ以外の通常領域（３９）とに振り分ける振り分け可動手段（４０）と、遊技球が前記特定領域（３８）側に振り分けられることを条件に遊技者に有利な利益状態を発生させる利益状態発生手段（８７）とを備えた弾球遊技機において、前記始動条件の一回の成立に対して前記停留手段（３７）による前記停留解除動作が少なくとも二回行われ、その一回目の停留解除動作で流下した遊技球の振り分け時点では前記特定領域（３８）が有効であり、二回目以降の停留解除動作で流下した遊技球の振り分け時点では前記特定領域（３８）が無効となるように前記特定領域（３８）の有効期間が設定されていることを特徴とする弾球遊技機。
【請求項２】
前記停留手段（３７）は、前記一回目の停留解除動作の直後から前記二回目の停留解除動作までは前記停留可能状態に保持されるように構成されていることを特徴とする請求項１に記載の弾球遊技機。
【請求項３】
前記停留手段（３７）は、前記始動条件の一回の成立に対する最後の停留解除動作後、次に前記始動条件が成立するまでの期間は前記停留解除状態に保持されるように構成されていることを特徴とする請求項１又は２に記載の弾球遊技機。
【請求項４】
前記停留手段（３７）が前記停留解除状態にあるときは、上流側から流下してきた遊技球を前記振り分け可動手段（４０）側とは異なる通路（５８）側に案内するように構成されていることを特徴とする請求項１〜３の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機、アレンジボール機等の弾球遊技機では、例えば遊技図柄が特定態様で停止する等の所定の始動条件が満たされることに基づいて所定期間開放される開閉式入球口と、この開閉式入球口に入球した遊技球を所定の停留位置で停留させると共に開閉式入球口３５の閉鎖後の所定のタイミングでその停留を解除する停留手段と、その停留解除動作によって流下してきた遊技球を特定領域とそれ以外の通常領域とに振り分ける振り分け可動手段とを備え、遊技球が特定領域側に振り分けられることを条件に遊技者に有利な利益状態を発生させるように構成したものが知られている（特許文献１）。
【特許文献１】特開２００８−１１９１１３号公報
【発明の開示】
【発明が解決しようとする課題】
【０００３】
特許文献１に記載の弾球遊技機では、停留解除動作が一回行われると停留手段はその停留解除状態のまま維持されるため、例えばガラス扉の前側から強力な磁石を用いて停留解除後もそのまま遊技球を保持し、振り分け可動手段が特定領域側に遊技球を案内するタイミングに合わせてその磁石による保持を解除することにより遊技球を特定領域に不正に誘導するゴト行為が行われる可能性があった。
【０００４】
本発明は上記事情に鑑みてなされたものであり、ガラス扉の前側から磁石を用いて遊技球を特定領域に不正に誘導する等のゴト行為を防止できる弾球遊技機を提供することを目的とする。
【課題を解決するための手段】
【０００５】
本発明は、所定の始動条件成立に対して所定期間開放される開閉式入球口３５と、該開閉式入球口３５に入球した遊技球を所定の停留位置で停留させることが可能な停留可能状態とその停留が解除される停留解除状態とに切り替え可能に構成され且つ前記停留可能状態から前記停留解除状態に切り替える停留解除動作を前記開閉式入球口３５の閉鎖後の所定のタイミングで行う停留手段３７と、前記停留解除動作によって流下してきた遊技球を特定領域３８とそれ以外の通常領域３９とに振り分ける振り分け可動手段４０と、遊技球が前記特定領域３８側に振り分けられることを条件に遊技者に有利な利益状態を発生させる利益状態発生手段８７とを備えた弾球遊技機において、前記始動条件の一回の成立に対して前記停留手段３７による前記停留解除動作が少なくとも二回行われ、その一回目の停留解除動作で流下した遊技球の振り分け時点では前記特定領域３８が有効であり、二回目以降の停留解除動作で流下した遊技球の振り分け時点では前記特定領域３８が無効となるように前記特定領域３８の有効期間が設定されているものである。
【発明の効果】
【０００６】
本発明によれば、例えば磁石等を用いて停留中の遊技球が不正に保持されて一回目の停留解除動作での流下が阻止され、二回目の停留解除動作でその遊技球が振り分け可動手段４０側に流下して特定領域３８側に振り分けられたとしても、その検出は無効であり、利益状態は発生しない。これにより、磁石を用いて遊技球を特定領域３８側に不正に誘導する等のゴト行為を効果的に防止できる。
【発明を実施するための最良の形態】
【０００７】
以下、本発明の実施形態を図面に基づいて詳述する。図１〜図１０は本発明をパチンコ機に採用した一実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【０００８】
前面板５には、その前側に、発射手段（図示省略）に供給するための遊技球を貯留する貯留皿６、発射手段を作動させるための発射ハンドル７等が設けられている。
【０００９】
ガラス扉４の裏側には、図２に示す遊技盤１１が着脱自在に装着されている。遊技盤１１の前面側には、発射手段から発射された遊技球を案内するガイドレール１２が環状に装着されると共に、そのガイドレール１２の内側の遊技領域１３内には、例えばその略中央に振り分け入賞手段１４が、その周囲に普通図柄始動手段１５、普通図柄表示手段２４、普通演出図柄表示手段１６、特別図柄始動手段１７、特別図柄表示手段２５、大入賞手段１８、普通入賞手段１９、アウト口２０等が配置されている。振り分け入賞手段１４上には、例えば振り分け演出図柄表示手段２１が設けられている。
【００１０】
普通図柄始動手段１５は、普通図柄表示手段２４による図柄変動を開始させるためのもので、遊技球が通過可能な通過ゲート等により構成されており、例えば振り分け入賞手段１４の左側に配置されている。
【００１１】
普通図柄表示手段２４は、普通図柄を変動表示するためのもので、７セグメント式等の表示手段により構成され、なるべく目立たないように例えば遊技領域１３内の周辺部に小さく設けられており、普通図柄始動手段１５が遊技球を検出することを条件に普通図柄を所定時間変動表示して、普通図柄始動手段１５による遊技球検出時に取得された当たり判定乱数値が予め定められた当たり判定値と一致する場合には所定の当たり態様で、一致しない場合には所定の外れ態様で停止させるようになっている。
【００１２】
また、例えば普通図柄表示手段２４の変動表示中に普通図柄始動手段１５が遊技球を検出した場合には、その検出時に取得された当たり判定乱数値が予め定められた上限保留個数、例えば４個を限度として記憶され、その後に普通図柄表示手段２４が変動可能となる毎に順次消化されるようになっている。なお、普通図柄には、遊技者がその種類を容易に区別できないように任意の線や点の組み合わせのような特別な意味を持たない図柄を割り当てることが望ましい。
【００１３】
普通演出図柄表示手段１６は、普通図柄表示手段２４による普通図柄の変動を演出するもので、普通図柄表示手段２４よりも目立つように例えば振り分け入賞手段１４の上側に大きく設けられている。普通演出図柄表示手段１６は、１個又は複数個、例えば３個の数字図柄等よりなる普通演出図柄を変動表示可能に構成されており、ある時は普通図柄表示手段２４による普通図柄の変動と時間的に同期して普通演出図柄を変動させ、またある時は普通図柄の変動と同期することなく普通演出図柄を独自に変動させ又はその他の演出画像を表示させるように構成されている。
【００１４】
普通演出図柄には、例えば「０」〜「９」の１０種類の数字図柄が用いられ、「６・６・６」「７・７・７」等、３つの図柄が全て同じ図柄で揃ったものが当たり態様、少なくとも１つの図柄が異なるものが外れ態様となっており、例えば普通図柄の変動と時間的に同期して変動表示される場合には、普通図柄が当たり態様で停止する場合は当たり態様で、普通図柄が外れ態様で停止する場合は外れ態様で、夫々停止するようになっている。
【００１５】
なお、普通図柄表示手段２４による普通図柄の変動は後述する大当たり状態中も行われるが、普通演出図柄表示手段１６は大当たり状態中には所定の大当たり演出を行うようになっている。
【００１６】
特別図柄始動手段１７は、特別図柄表示手段２５による図柄変動を開始させるためのもので、開閉手段２３により遊技球が入賞可能な開状態と入賞不可能な閉状態とに切り換え可能な作動式入賞手段により構成されており、例えば振り分け入賞手段１４の下側に配置されている。この特別図柄始動手段１７は、普通図柄表示手段２４による普通図柄の変動後の停止図柄が当たり態様となって普通利益状態が発生したときに、開閉手段２３が所定時間、所定回数だけ閉状態から開状態に変化して、開状態のときに入賞した遊技球を検出するように構成されている。
【００１７】
特別図柄表示手段２５は、特別図柄を変動表示するためのもので、７セグメント式等の表示手段により構成され、なるべく目立たないように例えば遊技領域１３内の周辺部に小さく設けられており、特別図柄始動手段１７が遊技球を検出することを条件に特別図柄を所定時間変動表示して、特別図柄始動手段１７による遊技球検出時に取得された大当たり判定乱数値が予め定められた大当たり判定値と一致する場合には例えば大当たり態様に対応する「７」等の図柄で、それ以外の場合には小当たり態様に対応する図柄で夫々停止するようになっている。
【００１８】
なお、本実施形態では特別図柄表示手段２５については普通図柄表示手段２４のような保留機能、即ち例えば特別図柄表示手段２５の変動表示中に特別図柄始動手段１７に遊技球が入賞した場合にその入賞時に取得された大当たり判定乱数値等を夫々所定の上限保留個数を限度として記憶する機能を設けていないが、特別図柄表示手段２５についても保留機能を設けてもよい。
【００１９】
振り分け入賞手段１４は、図３〜図８に示すように、遊技盤１１の前面に沿って配置され且つねじ止め等により遊技盤１１に固定される前面装着板３１と、この前面装着板３１の前側に突出状に設けられる前構造体３２と、前面装着板３１の裏側に突出状に設けられ且つ装着孔１１ａに前側から嵌合する後構造体３３とで構成され、前構造体３２側に設けられ且つ開閉羽根３４により遊技球が入賞可能な開状態と入賞不可能な閉状態とに切り換え可能な開閉式入賞口（開閉式入球口）３５と、例えば後構造体３３側に設けられ且つ開閉式入賞口３５に入賞した遊技球を所定の停留可能位置３６で一旦停留させた後で停留解除動作を行う停留手段３７と、例えば後構造体３３側に設けられ且つ停留手段３７による停留が解除された後の遊技球を特定通路（特定領域）３８側に案内する特定案内状態と通常通路（通常領域）３９側に案内する通常案内状態とに切り換え可能な振り分け可動手段４０とを備えている。
【００２０】
前構造体３２は、前面装着板３１の上部側に設けられ且つ例えば振り分け演出図柄表示手段２１等が配置された庇部３２ａと、前面装着板３１の下部側に設けられる前部通路ケース３２ｂとで構成されており、それら庇部３２ａと前部通路ケース３２ｂとの間に入賞室４１が設けられ、その入賞室４１の内外を連通させるように左右一対の開閉式入賞口３５が形成されている。
【００２１】
開閉式入賞口３５は、前後方向の軸廻りに揺動可能な開閉羽根３４によって通常は閉状態（図４に一点鎖線で示す）に保たれており、特別図柄表示手段２５による特別図柄の変動後の停止図柄が小当たり態様となって小当たり状態が発生したとき（所定の始動条件成立の一例）、電磁ソレノイド等の開閉駆動手段４２が作動することにより開閉羽根３４が外向きに揺動して所定時間開状態（図４に実線で示す）となり、その上に落下した遊技球を入賞室４１側に案内するようになっている。
【００２２】
前部通路ケース３２ｂには、図３及び図４に示すように、左右の開閉式入賞口３５の内側近傍に配置され且つ開閉式入賞口３５に入賞した遊技球を検出する左右一対の入賞検出スイッチ４３と、その入賞検出スイッチ４３の下流側から左右方向中央の合流案内部４４まで遊技球を案内する左右一対の合流通路４５とが設けられており、開閉式入賞口３５に入賞した遊技球は、図３，図４に矢印で示すように左右の入賞検出スイッチ４３の何れかを通過した後、合流通路４５を経て合流案内部４４まで流下するようになっている。合流案内部４４は後ろ下がりの傾斜状に形成されており、合流通路４５側から流入した遊技球は合流案内部４４により後ろ向きに案内される。
【００２３】
後構造体３３は、図３に示すように、前面装着板３１の裏側に沿って遊技盤１１の板厚範囲内に配置される一層目の後部第１通路ケース４６と、遊技盤１１の背面側に沿ってその後側に配置される二層目の後部第２通路ケース４７と、その後部第２通路ケース４７の後側に設けられ且つ開閉駆動手段４２等が配置される駆動ケース４８とで構成されている。
【００２４】
後部第１通路ケース４６には、図３，図５，図７等に示すように、その上部側の左右方向中央に停留部５１が、その停留部５１の左右両側に非停留球案内部５２が設けられている。停留部５１は、合流案内部４４の後側に対応してそれよりも低い位置に設けられ、合流案内部４４により後ろ向きに案内された遊技球はこの停留部５１上に落下するようになっている。また、この停留部５１上には、上向き突出状の突条５３が前後方向に配置されており、この突条５３上が、停留手段３７により遊技球が一時停留される停留可能位置３６となっている。
【００２５】
停留手段３７は、その前端側に停留保持部５４が設けられた停留可動部材５５と、この停留可動部材５５を前後方向にスライド移動させる電磁ソレノイド等よりなる停留駆動手段５６とを備えており、例えば停留駆動手段５６が作動することにより停留可動部材５５が図３，図７等に示す前位置にあるとき、停留保持部５４が停留部５１上に位置するようになっている。なお、停留駆動手段５６は例えば駆動ケース４８上に配置されている。
【００２６】
停留保持部５４は、左右一対の側壁５４ａと、それら左右の側壁５４ａの前端側及び後端側を夫々左右に接続する前壁５４ｂ及び後壁５４ｃとで構成され、その内側に遊技球１個分の貫通孔５７が上下方向に形成されており、例えば停留駆動手段５６が作動して停留保持部５４が停留部５１上の停留可能位置３６にあるとき（図７参照）、貫通孔５７の下側が突条５３により遊技球通過不能に閉鎖され、その上側に落下してきた遊技球はその停留保持部５４内に保持されて停留可能位置３６に停留するようになっている（停留可能状態）。
【００２７】
なお、停留保持部５４により１個の遊技球が保持されている状態で更に後続の遊技球が流下してきた場合には、その遊技球は停留保持部５４に保持されることなく左右の非停留球案内部５２側に流下し、更にその後ろ側の非停留球通路５８を経て遊技盤１１の後側に案内されるようになっている。
【００２８】
後部第２通路ケース４７には、図３，図６，図８等に示すように、上下方向の停留球流下口６１と、この停留球流下口６１の下側に配置される上下方向の特定通路流入口６２と、この特定通路流入口６２の下側に配置される上下方向の特定通路３８と、停留球流下口６１と特定通路流入口６２との間から例えば左右方向の一方側に向けて配置される通常通路３９と、例えば停留球流下口６１の左右両側に外向きに配置される非停留球通路５８とが設けられている。
【００２９】
停留球流下口６１は、停留部５１の後側に上向き開口状に設けられており、例えば停留駆動手段５６が作動していないことにより停留手段３７の停留可動部材５５が図８に示す後位置に保持されているとき、停留保持部５４がこの停留球流下口６１上に位置するようになっている。停留保持部５４に１個の遊技球が停留している状態（図７）で例えば停留駆動手段５６の作動が停止されることにより停留可動部材５５が後ろ向きに移動し、停留保持部５４がその遊技球と共に停留球流下口６１上の停留解除位置に到達すると（図８）、停留保持部５４の貫通孔５７は突条５３による閉鎖状態から開放され、停留保持部５４内に保持されていた遊技球はその貫通孔５７を下向きに通過して停留球流下口６１内に流下する（停留解除状態）。
【００３０】
なお、停留手段３７の停留保持部５４が停留解除位置にあるときに開閉式入賞口３５側から流下してきた遊技球は、突条５３上に落下して左右の非停留球案内部５２の何れかに案内され、非停留球通路５８を経て遊技盤１１の後側に案内されるようになっている。
【００３１】
停留球流下口６１の下側には少なくとも遊技球１個分の分岐部６４が設けられ、その分岐部６４の下側に特定通路流入口６２を経て特定通路３８が、左右方向一方側に通常通路３９が夫々連通しており、特定通路流入口６２は振り分け可動手段４０により開閉可能となっている。
【００３２】
振り分け可動手段４０は、振り分け可動部材６５と、この振り分け可動部材６５を、特定通路流入口６２を閉鎖する特定通路閉鎖位置（図３に実線で、図８に二点鎖線で示す）と、その後側に待避して特定通路流入口６２を開放する特定通路開放位置との間で前後方向にスライド移動させる電磁ソレノイド等よりなる振り分け駆動手段６６とを備えている。なお、振り分け駆動手段６６は例えば駆動ケース４８上に配置されている。
【００３３】
振り分け可動部材６５は、その上面側が遊技球を例えば左右方向の一方側に案内する傾斜状に形成されており、例えば振り分け駆動手段６６が作動することにより振り分け可動部材６５が後側の特定通路開放位置にあるとき、停留球流下口６１側から流下してきた遊技球は、図８に実線矢印で示すように特定通路流入口６２を介して特定通路３８側に案内され（特定案内状態）、例えば振り分け駆動手段６６の作動が停止されて振り分け可動部材６５が前側の特定通路閉鎖位置にあるとき、停留球流下口６１側から流下してきた遊技球は、図８に一点鎖線矢印で示すように通常通路３９側に案内される（通常案内状態）ようになっている。
【００３４】
特定通路３８側、通常通路３９側に案内された遊技球は夫々下流端側の特定通路排出口３８ａ、通常通路排出口３９ａから遊技盤１１の裏側に向けて排出されるが、特定通路３８側に案内された遊技球については、その特定通路３８を通過する際に特定領域検出スイッチ６７によって検出される。
【００３５】
なお、特定通路３８の前側には、特定通路流入口６２及び特定領域検出スイッチ６７を経由することなく分岐部６４と特定通路排出口３８ａとを接続するバイパス通路６８が設けられており、例えば特定通路流入口６２が開放するまで遊技球を分岐部６４で不正に停留させるべく、振り分け入賞手段１４の前側に磁石が置かれたような場合には、遊技球はその磁石に引かれて前側のバイパス通路６８側に案内されるようになっている。
【００３６】
振り分け演出図柄表示手段２１は、振り分け可動手段４０による遊技球の振り分け動作を演出するもので、７セグメント式等の表示手段により例えば１個の振り分け演出図柄を変動表示可能に構成されている。この振り分け演出図柄表示手段２１は、通常は開閉式入賞口３５に遊技球が入賞することを条件に振り分け演出図柄の変動を開始し、その遊技球が振り分け可動手段４０により特定通路３８側に振り分けられた場合に「７」等の特定図柄で、それ以外の場合に「−」等の非特定図柄で停止するように構成されている。
【００３７】
大入賞手段１８は、遊技球が入賞可能な開状態と入賞不可能な閉状態とに切り換え可能な開閉板６９を備えた作動式入賞手段により構成され、例えば振り分け入賞手段１４の右側に配置されている。この大入賞手段１８は、特別図柄表示手段２５による特別図柄の変動後の停止図柄が大当たり態様となるか、又は振り分け入賞手段１４の開閉式入賞口３５に入賞した遊技球が特定通路３８側に振り分けられることにより大当たり状態が発生したときに、開閉板６９が所定の開放パターンに従って前側に開放して、その上に落下した遊技球を内部へと入賞させるようになっている。
【００３８】
なお、遊技領域１３の下部側には多数の入球口が横一列に配列されており、それらのうちの１又は複数個が普通入賞手段１９で、それ以外は全てアウト口２０となっている。
【００３９】
図９は本パチンコ機の制御系のブロック図である。図９において、７０ａは主制御基板、７０ｂは演出制御基板で、これら各制御基板７０ａ，７０ｂは、遊技盤１１の裏側等、前枠３及び遊技盤１１を含む遊技機本体１の裏側の適宜箇所に着脱自在に装着された基板ケースに夫々収納されている。
【００４０】
主制御基板７０ａは、主に遊技盤１１側の遊技動作に関わる制御を行うためのもので、ＣＰＵ，ＲＯＭ，ＲＡＭ等により構成される普通乱数作成処理手段７１、普通始動口チェック処理手段７２、普通乱数記憶手段７３、普通図柄処理手段７４、普通図柄表示制御手段７５、普通利益状態発生手段７６、特別乱数作成処理手段８１、特別始動口チェック処理手段８２、特別乱数記憶手段８３、特別図柄処理手段８４、特別図柄表示制御手段８５、振り分け入賞制御手段８６、大当たり状態発生手段８７、制御コマンド送信手段８８等を備えている。
【００４１】
普通乱数作成処理手段７１は、変動後の普通図柄を当たり態様とするか否かの判定に用いる当たり判定乱数等を所定時間毎に繰り返し発生するように構成されている。普通始動口チェック処理手段７２は、普通図柄始動手段１５による遊技球の検出に基づく処理を行うもので、普通図柄始動手段１５が遊技球を検出することに基づいて、普通乱数作成処理手段７１で作成された当たり判定乱数値を１個取得し、その当たり判定乱数値を予め定められた上限保留個数（例えば４個）を限度として普通乱数記憶手段７３に記憶させるように構成されている。
【００４２】
普通図柄処理手段７４は、普通図柄の変動表示に関する処理を行うもので、普通図柄表示手段２４が変動表示可能な状態となり且つ普通乱数記憶手段７３に１個以上の当たり判定乱数値が記憶されていること（普通保留個数が１以上であること）を条件に、普通乱数記憶手段７３に最も早く記憶された当たり判定乱数値を取り出し、その当たり判定乱数値が予め定められた当たり判定値と一致するか否かに応じて当たり／外れの判定を行う当たり判定機能、当たり／外れの判定結果に基づいて普通図柄の変動後の停止図柄の種類を選択する普通停止図柄選択機能、普通図柄の変動時間を選択する変動時間選択機能等を備えている。
【００４３】
普通図柄表示制御手段７５は、普通図柄処理手段７４による普通図柄処理に基づいて普通図柄表示手段２４の表示制御を行うもので、普通図柄表示手段２４が変動表示可能な状態となり且つ普通乱数記憶手段７３に１個以上の当たり判定乱数値が記憶されていること（普通保留個数が１以上であること）を条件に普通図柄表示手段２４による普通図柄の変動を開始させ、普通図柄処理手段７４で選択された変動時間が経過することに基づいて、同じく普通図柄処理手段７４で選択された停止図柄で普通図柄の変動を停止させるようになっている。
【００４４】
普通利益状態発生手段７６は、普通図柄処理手段７４による判定結果が当たり判定となり、普通図柄表示手段２４の変動後の停止図柄が当たり態様となったときに、特別図柄始動手段１７の開閉手段２３を所定時間開状態に変化させるようになっている。
【００４５】
特別乱数作成処理手段８１は、変動後の特別図柄を大当たり態様、小当たり態様の何れにするかについての判定に用いる大当たり判定乱数、特別図柄の変動後の停止図柄の選択に用いる特別停止図柄選択乱数、特別図柄の変動パターンの選択に用いる変動パターン選択乱数、その他の所定の乱数を繰り返し発生する特別乱数作成処理を行うように構成されている。
【００４６】
特別始動口チェック処理手段８２は、特別図柄始動手段１７への遊技球の入賞に基づく処理を行うもので、特別図柄始動手段１７が遊技球を検出することに基づいて、特別乱数作成処理手段８１で作成された大当たり判定乱数値等を取得し、特別乱数記憶手段８３に記憶させるように構成されている。
【００４７】
特別図柄処理手段８４は、特別図柄の変動表示に関する処理を行うもので、特別図柄表示手段２５が変動表示可能な状態となったときに、特別乱数記憶手段８３に記憶された大当たり判定乱数値が予め定められた大当たり判定値と一致するか否かに応じて大当たり／小当たりの判定を行う大当たり判定機能、その大当たり／小当たりの判定結果等に基づいて特別図柄の変動後の停止図柄を選択する特別停止図柄選択機能、大当たり／小当たりの判定結果等に基づいて特別図柄の変動パターンを選択する変動パターン選択機能等を備えている。
【００４８】
特別図柄表示制御手段８５は、特別図柄表示手段２５の表示制御を行うもので、特別図柄処理手段８４による特別図柄処理に基づいて、特別図柄表示手段２５により特別図柄の変動を所定の変動パターンに従って開始させ、その変動パターンに対応する変動時間が経過したときに、所定の停止図柄で特別図柄の変動を停止させるようになっている。
【００４９】
振り分け入賞制御手段８６は、振り分け入賞手段１４の動作を制御するもので、開閉制御手段９１、停留制御手段９２、振り分け制御手段９３等を備えている。開閉制御手段９１は、開閉羽根３４を駆動する開閉駆動手段４２を制御するもので、特別図柄処理手段８４による大当たり／小当たりの判定結果が小当たり判定となり、特別図柄表示手段２５による特別図柄の変動後の停止図柄が小当たり態様となったときに（始動条件成立）、開閉駆動手段４２を所定時間（例えば１６００ｍｓ）作動させることにより、閉状態に保持されていた開閉羽根３４を所定時間開状態に切り替えて開閉式入賞口３５を開放するようになっている（図１０）。なお、始動条件の一回の成立に対して開閉式入賞口３５を複数回開放してもよい。
【００５０】
停留制御手段９２は、停留可動部材５５を駆動する停留駆動手段５６を制御するもので、例えば特別図柄の変動後の停止図柄が小当たり態様になる毎に（始動条件の一回の成立毎に）、停留可能状態から停留解除状態に切り替える停留解除動作を二回行わせるように停留駆動手段５６を制御するように構成されている。
【００５１】
即ち、停留制御手段９２は、図１０に示すように、始動条件成立による開閉式入賞口３５の開放と略同時に停留駆動手段５６をＯＦＦからＯＮに切り替えることにより停留手段３７を停留解除状態から停留可能状態に切り替えてその状態を維持させ（図７）、開閉式入賞口３５が閉鎖した後の所定のタイミングで停留駆動手段５６をＯＦＦに切り替えて一回目の停留解除動作を行わせ、その直後（例えば２００ｍｓ後）に停留駆動手段５６をＯＮに戻して停留可能状態を維持させた後、一回目の停留解除動作から所定時間後（例えば１５００ｍｓ後）に再び停留駆動手段５６をＯＦＦに切り替えて二回目の停留解除動作を行わせ、その後は次の始動条件成立による開閉式入賞口３５の開放までそのまま停留解除状態を維持させるように構成されている。
【００５２】
これにより、開放中の開閉式入賞口３５に入賞した遊技球は、停留手段３７によって一時停留された後、一回目の停留解除動作で振り分け可動手段４０側に流下するが、例えば磁石等を用いて停留中の遊技球が不正に保持されて一回目の停留解除動作での流下が阻止された場合、その遊技球が振り分け可動手段４０側に流下可能となるのは二回目の停留解除動作以降となる。
【００５３】
振り分け制御手段９３は、振り分け可動手段４０による振り分け動作を制御するもので、所定の振り分けパターンに従って特定案内状態と通常案内状態とに交互に切り替えるべく振り分け駆動手段６６を制御するように構成されている。本実施形態では、図１０に示すように、特定案内状態の継続時間（以下、特定継続時間という）と、通常案内状態の継続時間（以下、通常継続時間という）とが夫々常に一定に維持される振り分けパターンが採用されており、例えば特定継続時間が６００ｍｓ、通常継続時間が５４００ｍｓの６０００ｍｓ周期で振り分け動作が繰り返されるようになっている。
【００５４】
大当たり状態発生手段（利益状態発生手段）８７は、特別図柄処理手段８４による判定結果が大当たり判定となって特別図柄が大当たり態様で停止するか、又は振り分け入賞手段１４の開閉式入賞口３５に入賞した遊技球が特定通路３８側に振り分けられて特定領域検出スイッチ６７がその遊技球を検出したときに、大入賞手段１８の開閉板６９が所定の開放パターンに従って前側に開放する大当たり状態を発生させるように構成されている。
【００５５】
ここで、大当たり状態発生手段８７は、予め定められた特定領域有効期間中に特定領域検出スイッチ６７が遊技球を検出した場合にのみその検出を有効とするように構成されている。この特定領域有効期間は、図１０に示すように、始動条件成立による開閉式入賞口３５の開放から停留手段３７による一回目の停留解除動作までの所定時点で開始され、その一回目の停留解除動作で流下した遊技球が振り分け可動手段４０により振り分けられる時点から、二回目の停留解除動作で流下した遊技球が振り分け可動手段４０により振り分けられる時点までの所定時点、例えば二回目の停留解除動作と略同時に終了するように構成されている。
【００５６】
従って、例えば磁石等を用いて停留中の遊技球が不正に保持されて一回目の停留解除動作での流下が阻止され、二回目の停留解除動作でその遊技球が振り分け可動手段４０側に流下して仮に特定通路３８側に振り分けられたとしても、その時点（図１０のＡに示す時点）では既に特定領域有効期間が終了しているために大当たり状態は発生しない。また、二回目の停留解除動作後は、停留手段３７は停留解除状態で保持されるため、その後に磁石による保持を解除してもその遊技球を振り分け可動手段４０側に流下させることはできない。
【００５７】
制御コマンド送信手段８８は、所定の制御コマンドを一方向通信により演出制御基板７０ｂ等のサブ制御基板側に送信して制御指令を与えるためのもので、普通図柄処理手段７４による普通図柄処理に基づいて普通演出図柄の変動制御コマンド、例えば変動時間を指定する変動時間指定コマンド、停止図柄を指定する停止図柄指定コマンド、変動停止を指定する変動停止指定コマンド等を演出制御基板７０ｂ側に送信する機能、振り分け入賞制御手段８６による振り分け入賞制御に基づいて、振り分け演出図柄の変動制御コマンド、例えば振り分け演出図柄の変動開始を指定する振り分け演出開始コマンド、振り分け演出図柄の停止を指定する振り分け演出停止コマンド等を演出制御基板７０ｂ側に送信する機能等を備えている。
【００５８】
演出制御基板７０ｂは、普通演出図柄表示手段１６、振り分け演出図柄表示手段２１等の各種演出手段を制御するためのもので、普通演出図柄制御手段９４、振り分け演出図柄制御手段９５等を備えている。
【００５９】
普通演出図柄制御手段９４は、普通演出図柄表示手段１６の表示制御を行うもので、主制御基板７０ａ側から送信される普通演出図柄の変動制御コマンドに基づいて、例えばある時は普通図柄表示手段２４による普通図柄の変動と時間的に同期して普通演出図柄表示手段１６上で普通演出図柄を変動させ、またある時は普通図柄の変動と同期することなく普通演出図柄表示手段１６上で普通演出図柄を独自に変動させ又はその他の演出画像を表示させるように構成されている。
【００６０】
振り分け演出図柄制御手段９５は、振り分け演出図柄表示手段２１の表示制御を行うもので、主制御基板７０ａ側から送信される振り分け演出図柄の変動制御コマンドに基づいて、例えば開閉式入賞口３５への遊技球の入賞と略同時に振り分け演出図柄の変動を開始させ、その遊技球が振り分け可動手段４０により特定通路３８側に振り分けられて特定領域検出スイッチ６７がそれを検出した場合に「７」等の特定図柄で、それ以外の場合に  「−」等の非特定図柄でその変動を停止させるように構成されている。
【００６１】
以上説明したように、本実施形態のパチンコ機では、始動条件の一回の成立に対して停留手段３７による停留解除動作が二回行われ、その一回目の停留解除動作で流下した遊技球の振り分け時点では特定領域検出スイッチ６７による遊技球の検出が有効であり、二回目以降の停留解除動作で流下した遊技球の振り分け時点では特定領域検出スイッチ６７による遊技球の検出が無効となるように特定領域有効期間が設定されているため、例えば磁石等を用いて停留中の遊技球が不正に保持されて一回目の停留解除動作での流下が阻止され、二回目の停留解除動作でその遊技球が振り分け可動手段４０側に流下して特定通路３８側に振り分けられ、特定領域検出スイッチ６７がこれを検出したとしても、その検出は無効であり、大当たり状態は発生しない。これにより、磁石を用いて遊技球を特定通路３８側に不正に誘導する等のゴト行為を効果的に防止できる。
【００６２】
また、停留手段３７は、一回目の停留解除動作の直後から二回目の停留解除動作までは停留可能状態に保持されるように構成されているため、例えば磁石を用いて停留中の遊技球を保持し、一回目の停留解除動作と二回目の停留解除動作との間で振り分け可動手段４０の動作に合わせて遊技球を任意のタイミングで流下させることはできない。
【００６３】
更に、停留手段３７は、二回目の停留解除動作後、次に始動条件が成立するまでの期間は停留解除状態に保持されるように構成されており、しかも停留手段３７が停留解除状態にあるときは、上流側から流下してきた遊技球を振り分け可動手段４０側とは異なる非停留球通路５８側に案内するように構成されているため、磁石により停留位置で不正に保持していた遊技球を二回目の停留解除動作後の任意の時点で解放したり、或いは開閉式入賞口３５を不正の手段で開放して遊技球を入賞させたとしても、その遊技球は振り分け可動手段４０側には流下せず、従って特定通路３８を通過することはない。
【００６４】
以上、本発明の実施形態について詳述したが、本発明はこれらの実施形態に限定されるものではなく、本発明の趣旨を逸脱しない範囲で種々の変更が可能である。例えば、実施形態では、始動条件の一回の成立に対して停留解除動作を二回行うように構成したが、三回以上行ってもよい。この場合、二回目以降の停留解除動作で流下した遊技球の振り分け時点では特定領域検出スイッチ６７の検出を無効とするように構成すればよい。
【００６５】
複数回の停留解除動作時以外は停留手段３７を停留可能状態に保持するように構成してもよい。
【００６６】
停留手段３７を、例えば停留解除状態にあるときは上流側から流下してきた遊技球を振り分け可動手段４０側に案内するように構成してもよい。この場合、磁石により停留位置で不正に保持していた遊技球を二回目の停留解除動作後の任意の時点で解放したり、或いは開閉式入賞口３５を不正の手段で開放して遊技球を入賞させた場合にその遊技球は振り分け可動手段４０側に案内されるが、特定領域有効期間を適切に設定している限り、その遊技球が特定領域側に振り分けられたとしても利益状態が発生することはない。
【００６７】
また、本発明はパチンコ機に限らず、アレンジボール機、雀球遊技機等の各種の弾球遊技機においても同様に実施することが可能である。
【図面の簡単な説明】
【００６８】
【図１】本発明の第１の実施形態におけるパチンコ機の全体斜視図である。
【図２】遊技盤の正面図である。
【図３】振り分け入賞手段の左右方向中央における側面断面図である。
【図４】図３におけるＡ矢視断面図である。
【図５】図３におけるＢ矢視断面図である。
【図６】図３におけるＣ矢視断面図である。
【図７】停留手段が停留位置にあるときの振り分け入賞手段の断面斜視図である。
【図８】停留手段が停留解除位置にあるときの振り分け入賞手段の断面斜視図である。
【図９】制御系のブロック図である。
【図１０】開閉式入賞口、停留手段、特定領域検出スイッチ及び振り分け可動手段の各動作の対応関係の一例を示すタイムチャートである。
【符号の説明】
【００６９】
３５  開閉式入賞口（開閉式入球口）
３７  停留手段
３８  特定通路（特定領域）
３９  通常通路（通常領域）
４０  振り分け可動手段
５８  非停留球通路（通路）
８７  大当たり状態発生手段（利益状態発生手段）
【図１】
2010136751.tif 000003
【図２】
2010136751.tif 000004
【図３】
2010136751.tif 000005
【図４】
2010136751.tif 000006
【図５】
2010136751.tif 000007
【図６】
2010136751.tif 000008
【図７】
2010136751.tif 000009
【図８】
2010136751.tif 000010
【図９】
2010136751.tif 000011
【図１０】
2010136751.tif 000012